(57)【要約】【課題】  複数のマットを組み合わせたときに合わせ目における段差が発生しないマットを提供すること。【解決手段】  本発明のマットは、互いに背向した表面と裏面とを有する略板状のマットであって、マットの表面の端部の少なくとも一部に他のマットとの接続に用いられる接続手段を有することを特徴とする。本発明のマットは、マットの表面の端部に接続手段を有しているため、複数のマットが接続された状態で一つのマットに変形が生じても接続手段により緩衝されるため、隣接するマットとの間で急激な段差が生じなくなっている。【選択図】  なし【特許請求の範囲】
【請求項１】
互いに背向した表面と裏面とを有する略板状のマットであって、
該マットの表面の端部の少なくとも一部に他のマットとの接続に用いられる接続手段を有することを特徴とするマット。
【請求項２】
前記接続手段は、前記マットの少なくとも一辺に形成されている請求項１記載のマット。
【請求項３】
前記接続手段は、前記マットの前記表面に沿ってひろがるフランジ部に形成されている請求項１記載のマット。
【請求項４】
前記接続手段は、ファスナーよりなる請求項３記載のマット。
【請求項５】
前記ファスナーは、前記マットの前記裏面方向に引き手がもうけられたスライダー式ファスナーである請求項４記載のマット。
【請求項６】
前記マットが方形状を有する請求項１記載のマット。
【請求項７】
前記マットの前記裏面は、滑り止め加工が施されている請求項１記載のマット。
【発明の詳細な説明】
【技術分野】
【０００１】
本発明は、柔軟性と弾性とを有するマットに関し、詳しくは、継ぎ目において急激な段差を生じさせることなく複数のマットを接続することが可能なマットに関する。
【背景技術】
【０００２】
体操競技や機能回復のためのリハビリテーション等の運動は、床面上などにマットを敷き、その上で行われている。マットを使用した運動には、マット上で停止した状態で行われるものと、マット上で移動を伴うものとがある。リハビリテーションの具体例として、マット上を歩く歩行訓練がある。この歩行訓練は、マット上で行われることで下半身への負荷を抑制している。
【０００３】
歩行訓練を行うときには、歩行のための十分な広さのマットが必要となっていた。一定の形状のマットを複数個並べて配置することで、所望の広さを確保していた。このようなマットとしては、特許文献１に開示されたマットがある。
【０００４】
複数のマットを並べて歩行訓練を行うと、マット同士の継ぎ目に急激な段差が生じるという問題があった。具体的には、複数のマットを並べた状態で一つのマットを踏むと、そのマットの踏まれた部分は変形を生じてへこむ。踏まれたマットに生じたへこみは、踏まれた場所から離れるにつれて変形量（へこみ量）が小さくなる。そして、隣接するマットは踏まれていないため、変形が生じていない。このため、踏まれたマットと隣接したマットの継ぎ目には、図９に示したように、急激な段差が発生していた。この急激な段差は、マットの端部を踏んだときにもっとも大きくなる。そして、この急激な段差につま先が引っかかると転倒する。歩行訓練を受ける人間は敏捷な反応が困難であるため、転倒時により大きな負傷を負いやすい。このことから、マットの継ぎ目における急激な段差の発生は、歩行訓練においては大きな問題となっていた。
【０００５】
さらに、複数のマットを並べたときには、足をかけたマット自体が床面上を滑り、隣接したマットと離れるという問題があった。
【０００６】
これに対して、複数のマットを一体に連結することが可能なマットが特許文献２に開示されている。
【０００７】
しかしながら、特許文献２に記載のマットは、連結部自体の表面が凹凸を有しているため、転倒を生じやすく歩行訓練への使用に適さない。
【特許文献１】特開２００２−６５８８９号公報
【特許文献２】特開２００２−１０２０１７号公報
【発明の開示】
【発明が解決しようとする課題】
【０００８】
本発明は上記実状に鑑みてなされたものであり、複数のマットを組み合わせたときに合わせ目における急激な段差が発生しないマットを提供することを課題とする。
【課題を解決するための手段】
【０００９】
上記課題を解決するために本発明者らはマットについて検討を重ねた結果、マットの表面の端部に他のマットとの接続を行う接続手段をもうけることで上記課題を解決できることを見出した。
【００１０】
すなわち、本発明のマットは、互いに背向した表面と裏面とを有する略板状のマットであって、マットの表面の端部の少なくとも一部に他のマットとの接続に用いられる接続手段を有することを特徴とする。
【発明の効果】
【００１１】
本発明のマットは、マットの表面の端部に接続手段を有しているため、複数のマットが接続された状態で一つのマットに変形が生じても接続手段により緩衝されるため、隣接するマットとの間で急激な段差が生じなくなっている。本発明のマットは、リハビリテーションにおける歩行訓練に用いたときに効果を発揮する。
【発明を実施するための最良の形態】
【００１２】
本発明のマットは、互いに背向した表面と裏面とを有する略板状のマットである。そして、本発明のマットは、表面の端部の少なくとも一部に他のマットとの接続に用いられる接続手段を有する。接続手段を有することで、複数のマットを組み合わせて所望の広さを有するマットを得られる。また、接続手段を用いて接続することで、マットにズレが生じなくなる。この結果、転倒の危険が減少する。
【００１３】
また、本発明のマットは、接続手段がマットの表面の端部にもうけられていることで、接続された二つのマットのうちの一つのマットを踏んでも、接続手段がなめらかな曲線を形成することとなり、二つのマットに急激な段差が生じなくなる。本発明のマットにおいて、表面とは複数のマットを接続して使用するときに上面に位置する面を示し、裏面とは下面に位置する面を示す。
【００１４】
接続手段は、マットの少なくとも一辺に形成されていることが好ましい。接続手段がマットの一辺に形成されることで、接続手段が形成された辺においてマットを接続することができ、その継ぎ目において段差が生じなくなる。全周に接続手段が形成されたことが好ましい。
【００１５】
接続手段は、マットの表面に沿ってひろがるフランジ部に形成されていることが好ましい。接続手段がフランジ部に形成されることで、接続手段の取り付けを容易に行うことができる。
【００１６】
また、フランジ部を有することで、二つのマットを接続したときにこのフランジ部で折り返して二段重ねのマットを形成することが可能となる。すなわち、フランジ部をヒンジ部として用いることができる。歩行訓練における積極的な段差を形成できるようになる。
【００１７】
接続手段は、ファスナーであることが好ましい。ファスナーを接続手段として用いることで、複数のマットを簡単に接続することが可能となる。ファスナーとしては、特に限定されるものではなく、スライダー式のファスナーであっても、面ファスナーであってもよい。
【００１８】
スライダー式ファスナーは、ファスナーテープの端部に等間隔で植え付けられた務歯をスライダーで噛み合わせ、開くファスナーである。このスライダー式ファスナーのスライダーの操作は、スライダーにもうけられて引き手によりなされている。この引き手はマットの裏面方向にもうけられることが好ましく、マットの表面側に引き手が露出しなくなる。そして、マットの使用時に足などが引き手に引っかかることが抑えられ、安全性が向上する。
【００１９】
面ファスナーは、フックとループまたは凸部と凹部などを噛み合わせて接合するファスナーである。面ファスナーのフックとループまたは凸部と凹部などのそれぞれをフランジ部の表面と裏面のそれぞれに形成することが好ましい。フランジ部の両面にフックとループとを形成することで、マットの接続を容易に行うことが可能となる。
【００２０】
本発明のマットの形状は特に限定されるものではない。ここで、形状とは外周形状を示す。すなわち、マットの形状は、円形状、方形状等の形状とすることができる。複数のマットを接続するときの接続の容易さや使用しないときに無駄な空間を生じさせにくい等の理由から、マットが方形状を有することが好ましい。
【００２１】
本発明のマットの大きさについても特に限定されるものではない。たとえば、体操競技などには広いマットが好ましく、リハビリテーションなどにはそれほど大きなマットでなくてもよい。
【００２２】
マットの裏面は、滑り止め加工が施されていることが好ましい。マットの裏面に滑り止め加工が施されることで、マットの使用時にマット自体が滑ることを防止でき、安全性が向上する。滑り止め加工は、従来公知の加工方法を用いることができ、特に限定されるものではない。
【００２３】
本発明のマットは、柔軟性を有する弾性体よりなるインナー材と、インナー材を内部に保持した状態で表面の端部に接続手段を形成したカバーと、から構成されることが好ましい。マットがインナー材とカバーとから構成されることで、本発明のマットを簡単に製造することが可能となる。また、インナー材を変更することで、所望の弾性のマットを得られるようになる。
【００２４】
本発明のマットにおいて、インナー材およびカバーの材質が特に限定されるものではない。すなわち、インナー材およびカバーには従来公知の材質を用いることができる。
【００２５】
インナー材には、柔軟性を有する弾性体を用いることができる。このような弾性体としては、たとえば、ウレタン樹脂発砲体、エチレン−酢酸ビニル共重合体（ＥＶＡ）樹脂発泡体等をあげることができる。また、インナー材の弾性（弾性係数や反発係数）についても特に限定されるものではない。また、弾性の異なる複数の弾性体をマットの厚さ方向に積層して形成してもよい。
【００２６】
カバーは、少なくとも接続手段を表面の端部に形成している形状であればよく、インナー材の全面を被覆する形状である必要はない。すなわち、インナー材の一部が露出していてもよい。カバーは、樹脂、布等の柔軟性を有する部材を用いることができる。また、カバーは、インナー材を内部に収容することが好ましい。カバーがインナー材を内部に収容することで、カバーとインナー材との界面が露出しなくなり、両者の界面につまずくことが抑えられる。
【実施例】
【００２７】
以下、実施例を用いて本発明を説明する。
【００２８】
（実施例１）
実施例１のマットは、インナー材１とカバー２と、から構成される。本実施例のマットを図１および２に示した。図１はマットの斜視図であり、図２は図１中のＩ−Ｉ線における断面を示した図である。
【００２９】
インナー材１は、６００×６００×８０ｍｍの低反発ウレタン樹脂よりなる。
【００３０】
カバー２は、その内部にインナー材１を収容する。カバー２は、インナー材１の外周形状と一致する形状に形成されている。すなわち、カバー２は、本実施例のマットの上面３、四つの側面４、下面５を形成している。カバー２は、防水性のシートを所定の形状に切り出した後に縫製する。
【００３１】
カバー２の下面５の表面には、滑り止めの加工が施されている。
【００３２】
また、カバー２の上面３の端部であって対向する二つの辺部には、マットの上面３に沿って広がるファスナーテープ６と、ファスナーテープ６の端部に務歯（図示せず）が形成されている。ここで、このファスナーテープ６の一方には、スライダー７が組み付けられている。そして、スライダー７の引き手７１は、スライダー７の下面側に取り付けられている。ファスナーテープ６は、マットの端部からの突出量が１０ｍｍ以下となるように取り付けられている。より好ましくは突出量が５ｍｍ以下であることが望ましい。本実施例においては、ファスナーテープ６のスライダー７の取り付けられた側を雌側６１とし、スライダー７が取り付けられていない側を雄側６２とした。本実施例において、ファスナーテープ６およびスライダー７は、市販のスライダー式ファスナーを用いた。本実施例を示した各図においては、その構成をわかりやすくするためにファスナーテープ６およびスライダー７を模式的に示している。実際の実施例１のマットにおいては、ファスナーテープ６の突出量が図に示されたよりもはるかに小さい。また、スライダー７も市販のファスナーのスライダーを用いたものであり、図に示した形状ではなく市販のスライダーの形状を有している。
【００３３】
本実施例のマットは、ファスナーテープ６の雌側６１と雄側６２とを締結することで、一体に接続することができる。三つのマットを一体に接続したときの様子を図３に示した。
【００３４】
図３に示されたように、接続された複数のマットは、ファスナーテープ６が形成された隣接した一辺でファスナーにより接続されて一体となっている。そして、接続されたマットの一方の端部を踏むことにより踏まれたマットの表面が沈み込んでも、ファスナーテープ６を介して隣接したマットの表面も変形を生じる。すなわち、本実施例のマットを接続したマットは、隣接するマット間の段差が生じなくなっている。
【００３５】
さらに、接続された複数のマットは、スライダー７の引き手７１が裏面側に突出したことで、その表面に突起がなくなっている。このことは、歩行訓練において引き手７１に引っかかって転倒することを防止できる。さらに、表面に突出した突起が無くなることで、マットに寝た状態での運動に用いることも可能となる。
【００３６】
図３に示されたマットは三つのマットを接続しているが、本実施例のマットは、三つ以上を接続して所望の長さを得ることができる。
【００３７】
本実施例の締結されたマットは、隣接したマットの表面３，３が密着するようにファスナーテープ６において折り返した状態で使用することができる。ファスナーテープ６において折り返したマットを図４に示した。締結したマットを折り返したときには、スライダー７により締結されたファスナーテープ６，６がヒンジとして機能する。
【００３８】
図４に示された折り返されたマットは、急激な段差を故意に作成したもので、その段差を乗り越える歩行訓練において用いることができる。ファスナーテープ６において簡単に折り返すことができるため、歩行訓練用マットに急激な段差を簡単に作ることができる。さらに、積層した状態の二つのマットがファスナーテープ６でつながっているため、二つのマットがその界面において滑りにくくなっている。
【００３９】
図３に示した三つのマットを接続したマット（歩行訓練用マット）を用いて効果の確認を行った。効果の確認は、歩行訓練用マットを拡げた状態で、その上を歩くことで行われた。歩行時においてマットの端部を踏んでも、マットの接続部に急激な段差が生じなかった。
【００４０】
具体的には、歩行時において歩行訓練用マットを踏むと、踏まれた部分がへこみ、その近傍が変形する。踏まれた歩行訓練用マットに生じたへこみは、踏まれた場所から離れるにつれて変形量（へこみ量）が小さくなった。マットの端部を踏んだときには、スライダー７に接続されたファスナーテープ６を介して隣接したマットに変形が伝達される。すなわち、隣接したマットの端部もファスナーテープ６を介してその表面がへこむように変形する。この結果、歩行訓練用マットにおいては、マットの継ぎ目において急激な段差が生じなくなり、一体のマットのごとくなめらかな変形となる。
【００４１】
さらに、歩行訓練用マットが踏まれてマットの表面がへこんだときには、表面がへこんだマットはその側面４が凸となる弾性変形を生じる。この弾性変形により、隣接したマット間のすき間が埋められる。このすき間は、対向したマットの側面４とファスナーテープ６の裏面により区画されているものであり、対向したマットの端部がへこんだときには、すき間を区画するマットの側面４，４同士が互いに突出し、すき間が埋められる。この結果、マットの接続部を踏んだときに、マットのすき間による部分的なへこみの段差の発生を抑えることができ、踏み心地が均一化し、バランスを崩すことなく安全に歩行訓練が可能となる。歩行訓練用マットにおいて、マットの端部を踏んだときの図を図５に示した。
【００４２】
（実施例２）
本実施例のマットは、上面３の四つの端部のそれぞれにファスナーテープ６が形成された以外は実施例１のマットと同様なマットである。本実施例のマットを図６に示した。
【００４３】
本実施例のマットは、インナー材とカバー２と、から構成される。カバー２の上面３の端部には、マットの上面３に沿って広がるファスナーテープ６と、ファスナーテープ６の端部に務歯（図示せず）が形成されている。本実施例のマットを示した各図においては、実施例１と同様に、その構成をわかりやすくするためにファスナーテープ６およびスライダー７を模式的に示している。
【００４４】
そして、四つのファスナーテープ６のうちの互いに対向しない二つのファスナーテープ６には、スライダー７が組み付けられている。そして、スライダー７の引き手７１は、スライダー７の下面側に取り付けられている。本実施例においては、ファスナーテープ６のスライダー７の取り付けられた側を雌側６１とし、スライダー７が取り付けられていない側を雄側６２とした。
【００４５】
本実施例のマットは、図７に示したように、ファスナーテープ６の雌側６１と雄側６２とを締結することで、一体に接続することができる。
【００４６】
図７に示されたように、接続された複数のマットは、ファスナーテープ６が形成された隣接した一辺でファスナーにより接続されて一体となっている。そして、接続されたマットの一方の端部を踏むことにより踏まれたマットの表面が沈み込んでも、ファスナーテープ６を介して隣接したマットの表面も変形を生じる。すなわち、本実施例のマットを接続したマットは、隣接するマット間の段差が生じなくなっている。
【００４７】
さらに、接続された複数のマットは、スライダー７の引き手７１が裏面側に突出したことで、その表面に突起がなくなっている。このことは、歩行訓練において引き手７１に引っかかって転倒することを防止できる。さらに、表面に突出した突起が無くなることで、マットに寝た状態での運動に用いることも可能となる。
【００４８】
さらに、本実施例のマットは、外周の四つの辺で接続することができるため、所望の広さを形成することができる。
【００４９】
また、本実施例のマットを示した各図はその構成をわかりやすく示すために一部が模式的に示された図であり、図７において見られるフランジ部に囲まれたすき間９は、実際には２×２ｃｍ程度以下であり十分に小さい。
【００５０】
さらに、図７に示されたマットにおいても、実施例１の歩行訓練用マットと同様に端部を踏まれたときにマットの側面が凸となる方向に変形を生じる。すなわち、図７に示されたマットにおいても、実施例１の歩行訓練用マットと同様な効果が得られる。
【００５１】
（実施例３）
本実施例のマットは、他のマットとの接続を面ファスナーで行う以外は実施例２と同様なマットである。本実施例のマットの断面を図８に示した。
【００５２】
本実施例のマットは実施例２と同様にインナー材１とカバー２とから構成される。そして、カバー２の上面３の端部には、マットの上面３に沿って広がるフランジ部８が形成されている。マットの上面３側のフランジ部８の表面には面ファスナーのループ８１が、マットの下面５側の裏面には面ファスナーのフック８２が形成されている。本実施例のマットを示した各図においては、実施例１と同様に、その構成をわかりやすくするために模式的に示している。実際の実施例３のマットにおいては、フランジ部８の突出量は図に示されたよりもはるかに小さい。
【００５３】
本実施例のマットは、フランジ部８のループ８１に他のマットのフランジ部８のフック８２を噛み合わせることで、複数のマットの接続を行うことができる。
【００５４】
本実施例のマットを複数接続しても、実施例２のマットと同様に、隣接するマット間の段差が生じなくなっている。
【００５５】
さらに、本実施例のマットを複数接続したマットにおいても、実施例１の歩行訓練用マットと同様に端部を踏まれたときにマットの側面が凸となる方向に変形を生じる。すなわち、実施例１の歩行訓練用マットと同様な効果が得られる。
【００５６】
本実施例のマットはフランジ部８の表面にループ８１を裏面にフック８２を形成しているが、本実施例の変形形態として表面にフックを裏面にループを形成したマットをあげることができる。本変形形態のマットは、フックとループとを入れ替えただけであり、実施例３のマットと同様な効果を発揮する。
【００５７】
さらに、別の変形形態として、四つのフランジ部のうちの互いに対向した二つのフランジ部の表面にループを裏面にフックを形成し、残りの二つのフランジ部の表面にフックを裏面にループを形成したマットをあげることができる。本変形形態のマットのフランジ部の表面には、時計回り（あるいは反時計回り）にループ、フック、ループ、フックの順序で、ループとフックが形成されている。本変形形態のマットは、一部のフランジ部のフックとループとを入れ替えただけであり、実施例３のマットと同様な効果を発揮する。さらに、本変形形態のマットは、表面同士を密着させて二つのマットを積層させるときには、互いの位相を９０°回転させることで、それぞれのフランジ部の表面のフックとループとを噛み合わせることができる。この結果、二枚の本変形形態のマットが固定され、二枚のマットの界面が滑らなくなる。
【図面の簡単な説明】
【００５８】
【図１】実施例１のマットを示した図である。
【図２】実施例１のマットの断面を示した図である。
【図３】実施例１のマットを接続した状態を示した図である。
【図４】実施例１のマットを接続し折り返した状態の構成を示した図である。
【図５】実施例１のマットを接続した歩行訓練用マットにおいてマットの端部を踏んだときの様子を示した図である。
【図６】実施例２のマットを示した図である。
【図７】実施例２のマットを接続した状態を示した図である。
【図８】実施例３のマットの断面を示した図である。
【図９】並べられた二つのマットに段差が生じる様子を示した図である。
【符号の説明】
【００５９】
１…インナー材              ２…カバー
３…上面                    ４…側面
５…下面                    ６…ファスナーテープ
６１…雌側                  ６２…雄側
７…スライダー              ７１…引き手
８…フランジ部              ８１…ループ
８２…フック                ９…すき間
【図１】
2005040428.tif 000002
【図２】
2005040428.tif 000003
【図３】
2005040428.tif 000004
【図４】
2005040428.tif 000005
【図５】
2005040428.tif 000006
【図６】
2005040428.tif 000007
【図７】
2005040428.tif 000008
【図８】
2005040428.tif 000009
【図９】
2005040428.tif 000010